(57)【要約】【課題】小型の構成で対角像と円周像を簡単に、かつ、不要なケラレがなく撮影することが可能な撮像装置を提供する。【解決手段】デジタルカメラ１は、結像光学系としての第１光学系Ｍと、第１光学系の物体側に着脱可能に配置されて撮影画角を広角に変化させる第２光学系ＡＴと、を有し、被写体像を形成する撮影光学系Ｕと、撮影光学系Ｕのイメージサークル像に撮像素子４４の有効撮像域が外接して円周像を撮影可能な変倍位置Ａと、撮影光学系Ｕのイメージサークル像に有効撮像域が内接して対角像を撮影可能な変倍位置Ｂと、を含む像変倍域を有して被写体像の変倍を行う変倍手段と、円周像と対角像を撮影する際に選択できるように変倍位置ＡとＢの情報を記憶する記憶手段４１と、を有する。【選択図】図５
2011033741.tif 000002
【特許請求の範囲】
【請求項１】
結像光学系としての第１光学系と、当該第１光学系の物体側に着脱可能に配置されて撮影画角を広角に変化させる第２光学系と、を有し、被写体像を形成する撮影光学系と、
前記被写体像を光電変換する撮像素子と、
前記第１光学系の物体側に前記第２光学系が配置された状態において、前記撮影光学系のイメージサークル像に前記撮像素子の有効撮像域が外接して円周像を撮影可能な第１変倍位置と、前記撮影光学系のイメージサークル像に前記有効撮像域が内接して対角像を撮影可能な第２変倍位置と、を含む像変倍域を有し、前記被写体像の変倍を行う変倍手段と、
前記円周像と前記対角像を撮影する際に選択できるように、前記第１変倍位置と前記第２変倍位置の情報を記憶する記憶手段と、
を有することを特徴とする撮像装置。
【請求項２】
前記第１変倍位置と前記第２変倍位置の情報を含む前記第２光学系の光学特性に関する識別信号を生成する識別信号生成手段を有し、前記第２光学系を収納する光学鏡筒と、
前記第１光学系、前記撮像装置、前記変倍手段及び前記記憶手段を収納する本体と、
を有し、
前記光学鏡筒が前記本体に装着されると、前記記憶手段は、前記識別信号に含まれる前記第１変倍位置と前記第２変倍位置の情報を記憶することを特徴とする請求項１に記載の撮像装置。
【請求項３】
前記第２光学系はアフォーカル光学系であることを特徴とする請求項１又は２に記載の撮像装置。
【請求項４】
前記像変倍域における現在の変倍位置を検出する位置検出手段と、
前記位置検出手段によって検出された前記現在の変倍位置が、前記第１変倍位置、前記第２変倍位置、又は、前記第１変倍位置と前記第２変倍位置との間にあることを警告するための信号を出力する出力手段と、
を更に有することを特徴とする請求項１〜３のうちいずれか一項に記載の撮像装置。
【請求項５】
前記撮像装置は、前記像変倍域における現在の変倍位置を検出する位置検出手段を更に有し、
前記位置検出手段によって検出された前記現在の変倍位置が、前記第１変倍位置又は前記第２変倍位置にある場合、前記変倍手段の変倍駆動は停止することを特徴とする請求項１〜３のうちいずれか一項に記載の撮像装置。
【請求項６】
前記撮像装置は、前記像変倍域における現在の変倍位置を検出する位置検出手段を更に有し、
前記位置検出手段によって検出された前記現在の変倍位置が、前記第１変倍位置と前記第２変倍位置の間にある場合、前記変倍手段による変倍駆動は前記現在の変倍位置が前記第１変倍位置と前記第２変倍位置の間から外れるまで継続することを特徴とする請求項１〜３のうちいずれか一項に記載の撮像装置。
【請求項７】
結像光学系としての第１光学系と、当該第１光学系の物体側に着脱可能に配置されて撮影画角を広角に変化させる第２光学系と、を有し、被写体像を形成する撮影光学系と、
前記被写体像を光電変換する撮像素子と、
前記第１光学系の物体側に前記第２光学系が配置された状態において、前記撮影光学系のイメージサークル像に前記撮像素子の有効撮像域が外接して円周像を撮影可能な第１変倍位置と、前記撮影光学系のイメージサークル像に前記有効撮像域が内接して対角像を撮影可能な第２変倍位置と、を含む像変倍域を有し、前記被写体像の変倍を行う変倍手段と、
前記像変倍域における現在の変倍位置を検出する位置検出手段と、
前記位置検出手段によって検出された前記現在の変倍位置が前記第１変倍位置と前記第２変倍位置の間にある場合に撮影を禁止する撮影禁止手段と、
を有することを特徴とする撮像装置。
【発明の詳細な説明】
【技術分野】
【０００１】
本発明は、撮像装置に関する。
【背景技術】
【０００２】
特許文献１は、ズームレンズにコンバータを装着した際の操作上の違和感を解消し、ケラレの発生を防止する操作性のよいズームレンズ制御装置を提案している。
【先行技術文献】
【特許文献】
【０００３】
【特許文献１】特開平０３−８９３０８号公報
【発明の概要】
【発明が解決しようとする課題】
【０００４】
しかしながら、特許文献１は、アタッチメント光学系の装着時に対角像の撮影のみが可能であり、円周像と対角像の両方の撮影を行うことができなかった。しかも、両像のそれぞれを撮影しようとすると、円周像を撮影可能な像変倍域と対角像を撮影可能な像変倍域との間の像変倍域において被写体像が中途半端にケラレて失敗画像となるという問題があった。
【０００５】
本発明は、小型の構成で対角像と円周像を簡単に、かつ、不要なケラレがなく撮影することが可能な撮像装置を提供することを例示的な目的とする。
【課題を解決するための手段】
【０００６】
本発明の一側面としての撮像装置は、結像光学系としての第１光学系と、当該第１光学系の物体側に着脱可能に配置されて撮影画角を広角に変化させる第２光学系と、を有し、被写体像を形成する撮影光学系と、前記被写体像を光電変換する撮像素子と、前記第１光学系の物体側に前記第２光学系が配置された状態において、前記撮影光学系のイメージサークル像に前記撮像素子の有効撮像域が外接して円周像を撮影可能な第１変倍位置と、前記撮影光学系のイメージサークル像に前記有効撮像域が内接して対角像を撮影可能な第２変倍位置と、を含む像変倍域を有し、前記被写体像の変倍を行う変倍手段と、前記円周像と前記対角像を撮影する際に選択できるように、前記第１変倍位置と前記第２変倍位置の情報を記憶する記憶手段と、を有することを特徴とする。
【０００７】
本発明の別の側面としての撮像装置は、上述の撮影光学系と撮像素子と変倍手段と、前記像変倍域における現在の変倍位置を検出する位置検出手段と、前記位置検出手段によって検出された前記現在の変倍位置が前記第１変倍位置と前記第２変倍位置の間にある場合に撮影を禁止する撮影禁止手段と、を有することを特徴とする。
【発明の効果】
【０００８】
本発明は、小型の構成で対角像と円周像を簡単に、かつ、不要なケラレがなく撮影することが可能な撮像装置を提供することができる。
【図面の簡単な説明】
【０００９】
【図１】本実施例のアタッチメント光学系が装着されたデジタルカメラ（撮像装置）の断面図である。
【図２】図１に示す撮影装置の撮影光学系の光路図である。
【図３】図１に示す撮影装置の像変倍域と撮像装置内信号及び被写体像との関係を示す概略図である。
【図４】図１に示す撮像装置のブロック図である。
【図５】図４に示す集中処理装置が実行する変倍駆動処理の流れ図である。
【発明を実施するための形態】
【００１０】
図１（ａ）は、デジタルカメラ（撮像装置）１の断面図である。デジタルカメラ１は、カメラ本体３０にネジやバヨネットマウントで固定されたコンバータアタッチメント２０に、光学鏡筒１０をネジを介して着脱可能に固定することによって構成されている。
【００１１】
カメラ本体３０は、それ単体でデジタルコンパクトカメラとして機能し、カメラ本体３０が単体で使用される場合に撮影光学系として機能する第１光学系Ｍと被写体像の変倍を行なう不図示の変倍手段を収納している。コンバータアタッチメント２０は、カメラ本体３０に光学鏡筒１０を装着（固定）するアダプターリング（中間部材）である。光学鏡筒１０は撮影画角を広角に変化させる第２光学系ＡＴを収納している。
【００１２】
このように、本実施例では、デジタルコンパクトカメラとして機能するカメラ本体３０の第１光学系Ｍの物体側に第２光学系ＡＴを着脱可能に配置している。このため、本実施例は、超広角な画角を有して広角端から望遠端までカバーする変倍光学系を設計するよりも小型の構成を実現している。
【００１３】
図１（ｂ）は、光学鏡筒１０のコンバータアタッチメント２０への装着と第２光学系ＡＴの光学特性の識別信号のカメラ本体３０への伝達を説明するための断面図である。光学鏡筒１０の装着と第２光学系ＡＴの光学特性の識別情報をカメラ本体３０に伝達するために、光学鏡筒１０は識別信号生成手段１２を有し、カメラ本体３０は検出手段３１を有する。また、コンバータアタッチメント２０は、電気配線など伝達部材２２を有する。
【００１４】
識別信号生成手段１２は、抵抗や通電パターンなどによって生成される識別信号を発生する。伝達部材２２は、識別信号生成手段１２が発生した識別信号をカメラ本体３０の検出手段３１に伝達する。検出手段３１は、伝達部材２２を介して伝達された光学鏡筒１０の着脱や第２光学系の光学特性を認識する。
【００１５】
もちろん、識別信号生成手段１２、伝達部材２２、検出手段３１の構成は特に限定されない。例えば、識別信号生成手段１２を物理的な凹凸形状を持たせた形状として伝達部材２２を物理的連動機構として検出手段３１に形状情報を伝え、その凸凹形状から上述の識別を行ってもよい。
【００１６】
第２光学系ＡＴの光学特性は、後述する円周像が得られる変倍位置Ａ及び対角像が得られる変倍位置Ｂの情報を含んでいる。このため、光学鏡筒１０をカメラ本体３０に装着した際に、カメラ本体３０は変倍位置Ａ及びＢの情報を記憶して円周像と対角像の撮影時にその情報を選択することができる。
【００１７】
図２は、第２光学系ＡＴと第１光学系Ｍからなる撮影光学系Ｕの光路図である。図中、ＳＰは虹彩絞り、ＦＩＬは赤外カットやローパス等のフィルタ類、ＩＰは結像面である。本実施例は、デジタルカメラに本来備わっていて被写体像を形成する第１光学系（再結像光学系）Ｍの物体側に撮影画角を広角に変化させる第２光学系（アタッチメント光学系）ＡＴを着脱可能に装着して２回結像を行なう撮影光学系を実現している。
【００１８】
２回結像を行なう撮影光学系により、レンズ外径を大型にせずに超広角な撮影画角を得ることができる。なお、２回結像時には画像が倒立像となるためカメラ本体側の表示装置３２には画像を正立させるための電気的な機構を取り入れている。
第２光学系ＡＴは、物体側から順に、対物光学系Ｌ、フィールドレンズ群Ｆ及び補正レンズ群Ｈを有し、平行入射光線の一回結像を行なった後に略平行光線を射出するアフォーカル光学系である。
【００１９】
対物光学系Ｌは全体が正の屈折力を有する。好ましくは、対物光学系Ｌは、物体側に互いに像側のレンズ面が強い凹面である２枚の負レンズで構成されて負の屈折力を有する前レンズ群Ｂ１を有し、各レンズ面の曲率を弱めて非点収差の発生を低減する。また、対物光学系Ｌは、像側に空気間隔を挟んで正レンズと負レンズが接合されて全体が正の屈折力を有する接合レンズと凸レンズで構成された正の屈折力を有した後レンズ群Ｂ２を有する。
【００２０】
フィールドレンズ群Ｆは、必須ではないが対物光学系Ｌの結像位置近傍に配置され、正の屈折力を有して軸外光線を偏向して第１光学系Ｍに導光する。フィールドレンズ群Ｆは、物体側から順に、物体側に凸形状を有した正レンズと空気間隔を挟んで物体側に凹形状を有した負レンズを有する。正レンズにより、入射光線の偏向作用を行なった後に、その像側の負レンズが球面収差の補正を行なう。その結果、フィールドレンズ群Ｆから射出される光線は近平行光となり、その後リレーレンズ群を介して再結像される像の周辺ケラレを防止することができる。
【００２１】
補正レンズ群Ｈは、軸上光線を略平行光線として第２光学系ＡＴから射出し、正の屈折力を有する。補正レンズ群Ｈは、対物光学系Ｌよりも第１光学系Ｍに近くに配置される。補正レンズ群Ｈは色収差の発生を押えるために正レンズと負レンズを組み合わせたダブレットを有することが好ましい。
【００２２】
第１光学系Ｍは、被写体像を形成して単体で良好な画質の一般撮影が可能であり、変倍により収縮し、未使用時には沈胴する。図２に示す第１光学系Ｍは、物体側から順に、負レンズ群ＭＢ１と正レンズ群ＭＢ２からなる２群構成を有する。第１光学系Ｍは、負レンズ群ＭＢ１と正レンズ群ＭＢ２の相対的な間隔変化と共に結像面ＩＰからの位置を変化させることで変倍中も焦点移動を起さない変倍構造を有し、フォーカス作用はレンズ群ＭＢ１を光軸方向に移動させることで行なう。図２において、Ｆｏｃｕｓはフォーカス時にレンズ群（フォーカスレンズ）ＭＢ１を光軸方向に移動させて焦点調節を行なう焦点調節手段である。
【００２３】
なお、第１光学系Ｍは２群に限定されない。例えば、後述する図４に示すように、第１光学系Ｍは、物体側から順に、正レンズ群ＭＢ１、負レンズ群ＭＢ２、正レンズ群ＭＢ３、正レンズ群ＭＢ４からなる４群構成を有してもよい。
【００２４】
図３は、第２光学系ＡＴを装着したデジタルカメラ１の像変倍域と装置内信号との関係を示す模式図である。後述するように、カメラ本体３０は、被写体像の変倍を行う変倍手段を有している。そして、第１光学系Ｍの物体側に第２光学系ＡＴが配置された状態において、変倍手段の広角端から望遠端までの像変倍域は変倍位置Ａ（第１変倍位置）と変倍位置Ｂ（第２変倍位置）を含む。
【００２５】
変倍位置Ａは、撮影光学系Ｕのイメージサークル像に撮像素子４４の有効撮像域が外接して円周像を撮影可能な変倍位置である。変倍位置Ｂは、撮影光学系のイメージサークル像に前記有効撮像域が内接して対角像を撮影可能な変倍位置である。また、円周像を撮影する第１範囲Ｐ１が広角端と変倍位置Ａを両端に含む範囲として設定され、対角像を撮影する第２範囲Ｐ２が望遠端と変倍位置Ｂを両端に含む範囲に設定されている。
【００２６】
図２に示す撮影光学系Ｕは望遠端状態であり対角像を得ている。円周像を得るためには第２光学系ＡＴを固定し、レンズ群ＭＢ１及びＭＢ２の光軸方向の間隔が大きくなるように移動させて変倍域を広角側に変化させればよい。
【００２７】
第１範囲Ｐ１と第２範囲Ｐ２の間には第３範囲Ｐ３が設定されている。第３範囲Ｐ３では、画像の一部がケラレており、この画像状態は一般に不要である。第３範囲Ｐ３の撮影を避けるために、現在の変倍位置が変倍位置Ａ、変倍位置Ｂ又は変倍位置ＡとＢの間の第３範囲Ｐ３にあることを撮影者に警告したり、撮影を禁止にしたりすることが考えられる。
【００２８】
警告は、視覚、音声、ズームレバー等の変倍操作部材の操作感に変化を与えるなど撮影者が知覚することができる知覚信号を生成することにより行なう。撮影禁止は、例えば、シャッターレリーズ駆動の無効化をもたらす信号を生成したり、第３範囲内に変倍位置が設定されないように第３範囲内では変倍手段の変倍駆動を継続する信号を生成したりすることにより行なう。図３に示す撮影装置内信号は、警告をもたらす知覚信号と撮影禁止をもたらす信号を含む。
【００２９】
図４は、デジタルカメラ１のブロック図であり、コンバータアタッチメント２０を省略している。カメラ本体３０は、結像光学系としての第１光学系、検出手段３１、液晶モニタなどの表示装置３２、変倍手段、表示装置駆動回路３９、集中処理装置４０、記憶手段（メモリ）４１、位置検出手段４２、４３、撮像素子４４、合焦評価装置４５を有する。変倍手段は、変倍操作部材３３、信号発生装置３４、アクチュエーター駆動回路３５、３７、アクチュエーター３６、３８を含む。
【００３０】
カメラ本体３０には、上述の撮影者に警告するための信号を出力する様々な出力手段が備わっている。例えば、表示装置３２や不図示のランプは上述の警告を表示する。不図示のスピーカーは警告音を発する。変倍操作部材３３の操作感に変化を与えれば操作者は触覚で感じることができる。もちろん複数の出力手段が同時に警告を発してもよい。
【００３１】
上述したように、図４では、第１光学系は４群構成となっており、レンズ群ＭＢ１〜ＭＢ４を有する。そして、レンズ群ＭＢ２は図４において一点鎖線で示された光軸方向にアクチュエーター３６によって移動可能に構成されて変倍作用を与える変倍レンズ群として機能する。レンズ群ＭＢ４も光軸方向にアクチュエーター３８によって移動可能に構成されて変倍作用や被写体距離の変化に伴う像面位置を補正するための像面補正レンズ群として機能する。
【００３２】
撮影装置１が光学的変倍を行う際には、変倍操作部材３３が撮影者によって操作され、信号発生装置３４が集中処理装置４０に変倍要求信号を送信する。集中処理装置４０は、ＣＰＵなどのプロセッサから構成され、カメラ本体３０の各部（例えば、アクチュエーター駆動回路３５、３７や表示装置駆動回路３９）を制御する制御手段として機能する。
【００３３】
信号発生装置３４からの変倍要求信号に応答して、集中処理装置４０はアクチュエーター駆動回路３５に駆動要求情報を送信し、アクチュエーター駆動回路３５がアクチュエーター３６を駆動してレンズ群ＭＢ２を光軸方向に駆動する。また、位置検出手段４２がレンズ群ＭＢ２の光軸方向の位置を検出し、集中処理装置４０にレンズ群ＭＢ２の光軸方向の位置情報を表す信号（位置検出結果）を送信する。
【００３４】
レンズ群ＭＢ４の光軸上の移動により像倍率を変化する場合、集中処理装置４０は、現在の被写体距離の情報とレンズ群ＭＢ２の光軸上の位置情報を参照して、レンズ群ＭＢ４の移動方向と移動量を算出する。次いで、集中処理装置４０は、算出結果に基づいてアクチュエーター駆動回路３７に駆動要求情報を送信し、アクチュエーター駆動回路３７はアクチュエーター３８を駆動してレンズ群ＭＢ４を算出された移動方向と移動量だけ光軸方向に移動する。また、位置検出手段４３がレンズ群ＭＢ４の光軸方向の位置を検出し、集中処理装置４０にレンズ群ＭＢ４の光軸方向の位置情報を表す信号（位置検出結果）を送信する。
【００３５】
位置検出手段４２及び４３は、レンズ群駆動と可変抵抗の抵抗値変化部材を連動させて抵抗値からレンズ群の位置を検出したり、ステッピングモーターの基準位置からの駆動パルス数を累計したりすることによって対応するレンズ群の位置を検出する。
【００３６】
撮影光学系Ｕは被写体像を形成し、ＣＣＤやＣＭＯＳなどから構成される撮像素子４４が被写体像を光電変換して電気的な画像信号を生成する。上述したように、撮影光学系Ｕのイメージサークル像に撮像素子４４の有効撮像域が外接又は包含されると円周像を得ることができる。また、撮影光学系Ｕのイメージサークル像に撮像素子４４の有効撮像域が内接又は包含されると対角像を得ることができる。
【００３７】
撮像素子４４は合焦評価装置４５に接続され、合焦評価装置４５は集中処理装置４０に接続されている。例えば、撮像素子４４の画像信号から撮影像のコントラスト値の評価で合焦判断を行うコントラスト方式のオートフォーカスにおいて被写体距離が変化した場合、撮像素子４４からの画像信号に基づいて合焦評価装置４５が合焦評価を行う。そして、合焦評価装置４５は評価結果を集中処理装置４０に送信し、集中処理装置４０は評価結果に基づいてレンズ群ＭＢ４の移動方向と移動量を算出する。次いで、集中処理装置４０は、算出結果に基づいてアクチュエーター駆動回路３７に駆動要求情報を送信し、アクチュエーター駆動回路３７はアクチュエーター３８を駆動してレンズ群ＭＢ４を算出された移動方向と移動量だけ光軸方向に移動する。
【００３８】
図５は、第２光学系ＡＴを装着した時の集中処理装置４０による変倍駆動処理を説明するための流れ図であり、「Ｓ」はステップの略である。
【００３９】
まず、集中処理装置４０は、光学鏡筒１０が装着されたかどうかを判断し（Ｓ１）、装着されるまで待機する（Ｓ１のＮＯ）。光学鏡筒１０が不図示のコンバータアタッチメント２０を介してカメラ本体３０に接続されると、図１（ｂ）に示すように、識別信号生成手段１２からの識別信号が検出手段３１に伝達される。これにより、検出手段３１に接続された集中処理装置４０は、光学鏡筒１０がコンバータアタッチメント２０に装着されたこと及び第２光学系ＡＴの光学特性（変倍位置Ａ及びＢの情報を含む）を認識することができる。
【００４０】
集中処理装置４０は、光学鏡筒１０が装着されたと判断すると（Ｓ１のＹＥＳ）、集中処理装置４０は、識別信号生成手段１２が生成した識別信号から変倍位置ＡとＢの情報を取得してＲＡＭやＥＥＰＲＯＭなどの記憶手段４１に記憶する（Ｓ２）。
【００４１】
なお、第１光学系Ｍが単焦点光学系であって電気的な像倍率変化を行う場合には変倍位置Ａ及びＢを電気的な像拡大率比として表してもよい。第１光学系Ｍが光学的変倍方式であっても電気的な像拡大作用を利用してもよい。
【００４２】
記憶手段４１が変倍位置Ａ及びＢの情報を記憶するので、集中処理装置４０は、その情報を円周像と対角像を撮影する際に選択することができる。撮影者は、記憶手段４１に記憶された情報は、変倍操作部材３３を操作することによって表示装置３２に表示したり、選択したりすることができる。
【００４３】
即ち、撮影者は、変倍操作部材３３を介して変倍位置Ａを選択して被写体の円周像を撮影したり、変倍位置Ｂを選択して対角像を撮影したりすることができる。撮影者は、円周像と対角像を撮影するたびに変倍位置ＡやＢを検出する必要がなく記憶手段４１に記憶されている変倍位置を、変倍操作部材３３を介して選択するだけでよいので円周像や対角像を簡単に得ることができる。また、この時、誤って第３範囲内の変倍位置で撮影することがないので画像の不要なケラレを防止することができる。
【００４４】
なお、記憶手段４１は、第１範囲内の変倍位置Ａ以外の変倍位置の情報（例えば、変倍位置Ａよりも若干広角端に近い変倍位置の情報）を更に記憶してもよい。また、記憶手段４１は、第２範囲内の変倍位置Ｂ以外の変倍位置の情報（例えば、変倍位置Ｂよりも若干望遠端に近い変倍位置の情報）を更に記憶してもよい。そして、撮影者が円周像や対角像を撮影する時にはこれらの変倍位置の情報を使用してもよい。
【００４５】
次に、集中処理装置４０は、現在の変倍位置が第３範囲Ｐ３内(即ち、変倍位置Ａ及びＢの間)であるかどうかを判断する（Ｓ３）。「現在の変倍位置」の情報は、広角端における焦点距離と現在の変倍レンズ群ＭＢ２の位置における第１光学系Ｍの焦点距離の比率で表してもよい。レンズ群ＭＢ４の移動によって大きく変倍状態（焦点距離変化）が変化する際は、位置検出手段４２及び４３の双方の情報から広角端の焦点距離に対する焦点距離変化比を演算する方法を使用して現在の変倍位置の情報を取り出してもよい。あるいは、双方のレンズ群の位置から記憶手段４１に記憶されている対応データにて現在の変倍位置の情報を取り出してもよい。また、レンズ群ＭＢ４の移動で変倍状態が変化しない場合には、位置検出手段４２が検出するレンズ群ＭＢ２の位置情報を現在の変倍位置の情報とすることができる。
【００４６】
集中処理装置４０は、現在の変倍位置が第３範囲内であると判断した場合には（Ｓ３のＹＥＳ）、変倍位置Ａ及びＢのうちで現在の変倍位置から近い方を選択してそこまで自動的に変倍駆動を行う（Ｓ４）。即ち、集中処理装置４０は、アクチュエーター駆動回路３５を制御してアクチュエーター３６を介してレンズ群ＭＢ２を光軸方向に移動する。現在の変倍位置が第３範囲Ｐ３にある場合は、変倍手段による変倍駆動は現在の変倍位置が第３範囲Ｐ３から外れるまで継続するので、第３範囲Ｐ３における撮影を回避することができる。
【００４７】
また、この時、集中処理装置４０は、表示装置駆動回路３９を制御して表示装置３２に警告を表示するための信号を併せて生成してもよい。また、集中処理装置４０は、現在の変倍位置が第３範囲Ｐ３の外になるまでシャッターレリーズの駆動を無効化するなどによって撮影を禁止してもよい。即ち、集中処理装置４０は、検出された現在の変倍位置が変倍位置ＡとＢの間にある場合に撮影を禁止する撮影禁止手段として機能することができる。
【００４８】
集中処理装置４０は、現在の変倍位置が変倍位置Ａ又はＢにあると判断した際には（Ｓ７のＹＥＳ）、変倍手段の変倍駆動を停止する（Ｓ９）。これにより、撮影者は円周像又は対角像を得られる変倍位置を簡単に得ることができる。
【００４９】
一方、集中処理装置４０は、現在の変倍位置が第３範囲Ｐ３内ではないと判断した場合には（Ｓ３のＮＯ）、変倍操作部材３３が手動で操作されたと判断するまで待機状態を維持する（Ｓ５のＮＯ）。
【００５０】
集中処理装置４０は、信号発生装置３４からの変倍要求信号に基づいて変倍操作部材３３が操作されたと判断すると（Ｓ５のＹＥＳ）、変倍駆動を開始する（Ｓ６）。即ち、集中処理装置４０はアクチュエーター駆動回路３５に駆動要求情報を送信し、アクチュエーター駆動回路３５がアクチュエーター３６を駆動してレンズ群ＭＢ２を光軸方向に駆動する。
【００５１】
次に、集中処理装置４０は、位置検出手段４２の検出結果に基づいて、現在の変倍位置が変倍位置Ａ又はＢに到達したかどうか（Ｓ７）、若しくは、現在の変倍位置が広角端又は望遠端に到達したかどうか（Ｓ８）を判断する。集中処理装置４０は、現在の変倍位置が変倍位置Ａ又はＢ若しくは広角端又は望遠端になった場合に変倍駆動を停止し（Ｓ９）、それらの位置に到達するまでＳ６を継続する。
【００５２】
次に、集中処理装置４０は、変倍操作部材３３が再び操作されたかどうかを判断し（Ｓ１０）、操作されるまで待機状態を維持する（Ｓ１０のＮＯ）。集中処理装置４０は、信号発生装置３４からの変倍要求信号に基づいて変倍操作部材３３が操作されたと判断すると（Ｓ１０のＹＥＳ）、変倍駆動を開始する（Ｓ１１）。即ち、集中処理装置４０はアクチュエーター駆動回路３５に駆動要求情報を送信し、アクチュエーター駆動回路３５がアクチュエーター３６を駆動してレンズ群ＭＢ２を光軸方向に駆動する。
【００５３】
次に、集中処理装置４０は、位置検出手段４２の検出結果に基づいて、現在の変倍位置が第３範囲Ｐ３にあるかどうかを判断する（Ｓ１２）。集中処理装置４０は、現在の変倍位置が第３範囲Ｐ３にあると判断すると（Ｓ１２のＹＥＳ）、変倍位置の変化が変倍位置Ａからの変化だったかどうかを判断する（Ｓ１３）。集中処理装置４０は、変倍位置の変化が変倍位置Ａからの変化だったと判断すると（Ｓ１３のＹＥＳ）、変倍位置Ｂに自動的に変倍駆動を行い（Ｓ１４）、そうでないと判断すると（Ｓ１３のＮＯ）、変倍位置Ａに自動的に変倍駆動を行う（Ｓ１５）。集中処理装置４０は、Ｓ１４又はＳ１５の後で変倍駆動を停止する（Ｓ９）。
【００５４】
一方、集中処理装置４０は、位置検出手段４２の検出結果に基づいて、現在の変倍位置が第３範囲Ｐ３にないと判断すると（Ｓ１２のＮＯ）、現在の変倍位置が広角端又は望遠端であるかどうかを判断する（Ｓ１６）。集中処理装置４０は、現在の変倍位置が広角端又は望遠端でないと判断すると（Ｓ１６のＹＥＳ）、変倍駆動を停止し（Ｓ９）、現在の変倍位置が広角端又は望遠端であると判断すると（Ｓ１６のＹＥＳ）、Ｓ１２に戻る。
【００５５】
本実施例によれば、集中処理装置４０は、円周像を得られる変倍位置Ａと対角像を得られる変倍位置Ｂに変倍された場合は一時的に変倍駆動を停止する（Ｓ７のＹＥＳからＳ９、Ｓ１４又はＳ１５からＳ９）。なお、現在の変倍位置が変倍位置Ａ又はＢになった時に、集中処理装置４０は、変倍駆動を停止する代わりに知覚信号を発生して撮影者に警告を与えてもよい。
【００５６】
また、集中処理装置４０は、現在の変倍位置が第３範囲内にあれば変倍駆動を行なって第３範囲内で変倍位置が停止しないようにする（Ｓ３のＹＥＳからＳ４、Ｓ１２のＹＥＳからＳ１４又はＳ１５）。この結果、第３範囲における撮影を避けて一部がケラレた画像を取得することを防止することができる。なお、現在の変倍位置が第３範囲内にあれば常に対角像になるように電気的な像拡大を行ってもよい。
【００５７】
図５に示す変倍駆動処理はプロセッサによって実行されるプログラムとして実現可能であり、記憶手段４１に格納されている。
【産業上の利用可能性】
【００５８】
撮像装置は、被写体の撮像に適用することができる。
【符号の説明】
【００５９】
１            デジタルカメラ（撮像装置）
１０          光学鏡筒
３０          カメラ本体
４０          集中処理装置（制御手段）
４１          記憶手段
４２、４３    位置検出手段
４４          撮像素子
Ｍ            第１光学系
ＡＴ          第２光学系
Ｕ            撮影光学系
【図１】
2011033741.tif 000003
【図２】
2011033741.tif 000004
【図３】
2011033741.tif 000005
【図４】
2011033741.tif 000006
【図５】
2011033741.tif 000007